(57)【要約】【課題】外障子と内障子との間に閉じ込められた湿気が窓面に結露するのを、簡素かつ安価な構造で防止しうる二重窓の防露構造を提供する。【解決手段】本発明の二重窓１の防露構造は、外壁の開口部２１に、アルミ型材からなる断熱構造の枠材３が取り付けられ、その枠内に、アルミ型材からなる外障子外框材４１にガラス面材４２を嵌め込んだ外障子４が開閉自在に建て込まれ、外障子外框材４１の屋内側に断熱樹脂を介して外障子内框材５が取り付けられ、この外障子内框材５の枠内に、アルミ押出型材からなる内障子框材６１にガラス面材６２を嵌め込んだ内障子６が開閉自在に取り付けられたものである。外障子外框材４１と外障子内框材５との間に断熱ラインを配設することにより、非断熱構造である外障子外框材４１の屋内側表面に結露を集中させて、ガラス面材４２への結露を生じにくくする。【選択図】図１
2007092405.tif 000002
【特許請求の範囲】
【請求項１】
外壁に設けられた開口部に、アルミ押出型材からなる屋外側枠部と屋内側枠部とを断熱樹脂を介して結合した枠材が取り付けられ、
この枠材の枠内に、アルミ押出型材からなる外障子外框材にガラス面材を嵌め込んだ外障子が開閉自在に建て込まれ、
上記外障子外框材の屋内側に、断熱樹脂を介して外障子内框材が取り付けられ、
この外障子内框材に、アルミ押出型材からなる内障子框材にガラス面材を嵌め込んだ内障子が、外障子との間に適宜の間隔を設けて開閉自在に取り付けられた二重窓の防露構造。
【請求項２】
外障子外框材は、非断熱的に一体成形された屋外側框部及び屋内側框部を有し、これら両框部の間にガラス面材を保持する開口溝が設けられるとともに、
上記屋内側框部の周縁部に、外障子内框材を断熱的に結合するための断熱樹脂が配設されたことを特徴とする請求項１に記載の二重窓の防露構造。
【請求項３】
外障子に嵌め込まれるガラス面材が複層ガラスであることを特徴とする請求項１または２に記載の二重窓の防露構造。
【請求項４】
外障子外框材における屋内側框部の下縁近傍から、外障子外框材と外障子内框材とを結合する断熱樹脂に形成された排水孔を通過し、枠材における下枠内部を経由して屋外に連通する排水経路が設けられたことを特徴とする請求項２または３に記載の二重窓の防露構造。
【請求項５】
内障子框材から屋外側に突設されたブラインド取付枠を介して内障子にブラインドが取り付けられ、このブラインドが外障子内框材の枠内に収容されて内障子とともに開閉することを特徴とする請求項１または２に記載の二重窓の防露構造。
【発明の詳細な説明】
【技術分野】
【０００１】
本発明は、建物外壁の窓開口部に設置される二重窓の防露構造に関する。
【背景技術】
【０００２】
窓開口部における断熱性や気密性を高めるための建具として、窓枠内に内外二重のサッシ障子を建て込み、それら内外の障子にそれぞれガラス板を嵌め込んだ二重窓が広く利用されている。この種の二重窓においては、遮光や採光調節のために、内外の障子の間にブラインドを取り付けることも多い。このような、いわゆるブラインド内蔵二重窓の構造は、例えば特許文献１〜５等に開示されている。
【０００３】
図３は、従来のブラインド内蔵二重窓の一例を示す。例示の二重窓９は、外壁の開口部９１に取り付けられたアルミ押出型材からなる枠材９２に、外障子９３と内障子９４とが適宜間隔をもって取り付けられ、それら外障子９３と内障子９４との間に挟まれた空間にブラインド９５が内蔵されたものである。
【０００４】
枠材９２は、屋外側枠部９２１と屋内側枠部９２２とに分割され、断熱樹脂９２３を介して結合されている。外障子９３は、アルミ押出型材からなる外障子框材９６に複層ガラス９７が嵌め込まれたもので、枠材９２に対して屋外側から取り付けられ、例えばフリクションステー等の建具金物（図示せず）を介して、屋外側に縦すべり出し方式で開閉する。外障子外框材９６も、外障子外框材９６１と外障子内框材９６２とに分割され、それらが断熱樹脂９６３を介して結合されている。
【０００５】
内障子９４は、アルミ押出型材からなる内障子框材９８に単板ガラス９９が嵌め込まれたもので、枠材９２に対して屋内側から取り付けられ、例えば蝶番等の建具金物（図示せず）を介して屋内側に片開き方式で開閉する。ブラインド９５は、内障子框材９８から屋外側に突設されたブラインド取付部９５１に取り付けられている。
【０００６】
この二重窓９は、外障子９３と内障子９４とによって挟まれた空間が断熱層となるのに加え、枠材９２及び外障子框材９６が断熱樹脂９２３、９６３を挟んだ断熱構造となっており、さらに外障子９３には複層ガラス９７が嵌め込まれているので、高い断熱効果を奏する。
【特許文献１】実開昭６３−１６７５９７号公報
【特許文献２】特開平６−１７３５４７号公報
【特許文献３】特開平６−２９４２６３号公報
【特許文献４】特開平８−１２８２８５号公報
【特許文献５】特開平８−２７７６８５号公報
【発明の開示】
【発明が解決しようとする課題】
【０００７】
図３に例示したような二重窓９は、外障子９３及び内障子９４が開閉可能に取り付けられていても、本来の優れた断熱性や気密性を活かすべく、外障子９３及び内障子９４を両方とも閉め切った状態で使用されるのが常態である。しかし、気候のよい日は室内に新鮮な外気を取り込むために開放されることもあり、また、ガラス面やブラインド９５を清掃するために外障子９３や内障子９４が開閉されることもある。したがって、外障子９３と内障子９４とによって挟まれた空間内は、常に一定の温湿度に保たれるわけではない。
【０００８】
ここで、例えばガラス面の清掃に際して内障子９４を開閉したことにより、外障子９３と内障子９４との間に湿った空気が閉じ込められ、その後、外気温が急激に低下したような場合を想定する。外障子９３と内障子９４との間に閉じ込められた空気は、枠材９２の屋内側枠部９２２、外障子内框材９６２、及び複層ガラス９７の屋内面に接しているが、枠材９２及び外障子框材９６は、それぞれ断熱樹脂９２３、９６３を挟んだ断熱構造となっていて、屋内側枠部９２２や外障子内框材９６２の表面温度はあまり低下しないので、これらに比べて放熱量の大きい複層ガラス９７の屋内面のほうが低温になり、まず複層ガラス９７の屋内面に結露を生じることになる。この結露水は、複層ガラス９７の屋内面に沿って流下し、枠材９２の下部に設けられた排水経路から屋外に排出されるものの、一時的に窓面が曇って景観が損なわれ、水滴量が多い場合は、内障子９４を開いて窓面の結露水を拭き取らなければならなくなるといった不都合も生じる。
【０００９】
上記特許文献４に記載されたブラインド内蔵二重窓は、このような窓面への結露を防ぐための手段として、枠材の下部に取り付けた熱電変換素子により外障子と内障子との間の空間を温めるとともに、湿った空気を熱電変換素子の冷却面で結露させ、枠材の下部から屋外に排出するという構造を採用している。しかし、これは熱電変換素子という特別な装置を利用するものであるから、構造的にも複雑になり、製造コストも高くなってしまう。
【００１０】
そこで本発明は、外障子と内障子との間に閉じ込められた湿気が窓面に結露するのを、より簡素かつ安価な構造で防止しうる二重窓の防露構造を提案するものである。
【課題を解決するための手段】
【００１１】
上記した目的を達成するため、本発明の二重窓の防露構造は、外壁に設けられた開口部に、アルミ押出型材からなる屋外側枠部と屋内側枠部とを断熱樹脂を介して結合した枠材が取り付けられ、この枠材の枠内に、アルミ押出型材からなる外障子外框材にガラス面材を嵌め込んだ外障子が開閉自在に建て込まれ、上記外障子外框材の屋内側に、断熱樹脂を介して外障子内框材が取り付けられ、この外障子内框材に、アルミ押出型材からなる内障子框材にガラス面材を嵌め込んだ内障子が、外障子との間に適宜の間隔を設けて開閉自在に取り付けられた構成により特徴づけられる。
【００１２】
すなわち、この発明は、枠材の枠内に建て込まれた外障子と、この外障子の屋内側に外障子内框材を介して建て込まれた内障子とからなる二重窓において、外障子の周部を構成する外障子外框材と外障子内框材との間に断熱ラインを設け、外障子外框材にガラス面材を嵌め込んだものである。この発明によれば、外障子と内障子との間に閉じ込められる空気は、外気に対して断熱されていない外障子外框材に接して、この外障子外框材の屋内側表面に結露し、アルミ型材よりも熱伝導率の低いガラス面材の表面には結露しにくくなる。なお、この構成において、外障子の開閉方向は、屋内側・屋外側のいずれであってもよい。
【００１３】
さらに、本発明の二重窓は、外障子外框材が、非断熱的に一体成形された屋外側框部及び屋内側框部を有し、これら両框部の間にガラス面材を保持する開口溝が設けられるとともに、上記屋内側框部の周縁部に、外障子内框材を断熱的に結合するための断熱樹脂が配設されたことを特徴とする。この発明によれば、外障子外框材の屋内側框部に集中して結露を生じさせることができる。また、外障子外框材と外障子内框材とを断熱的に結合した状態で、内障子を外障子と一体的に開閉することができるので、二重窓全体としての断熱性を損なわずに、日常的な使い勝手も向上させることができる。
【００１４】
本発明においては、外障子に嵌め込まれるガラス面材を複層ガラスとすることにより、ガラス面材自体の断熱性を高めて、結露をさらに生じにくくすることができる。ただし、外障子に単板ガラスを採用しても、一定の結露防止効果を得ることは可能である。
【００１５】
外障子外框材の屋内側框部に結露を集中させるための具体的な構成としては、窓面の有効開口面積を大きく損なわない範囲で、屋内側框部に少なくとも２０ｍｍ以上の見付幅を有する鉛直平坦な結露誘導面を形成するのが好ましい。この構成における「見付幅」とは、上下の横框材にあっては框材の高さ方向の寸法を言い、左右の縦框材にあっては横幅方向の寸法を言う。あるいは、屋内側框部に、少なくとも外障子のガラス面材の面積の５％以上の見付面積を有する鉛直平坦な結露誘導面を形成することによっても、上記と同様に結露を集中させる効果が得られる。
【００１６】
外障子外框材の屋内側框部に生じた結露水を排出するための構造としては、外障子外框材における屋内側框部の下縁近傍から、外障子外框材と外障子内框材とを結合する断熱樹脂に形成された排水孔を通過し、枠材における下枠内部を経由して屋外に連通する排水経路を設けるのが好ましい。これにより、外障子外框材の屋内側框部に生じた結露水を、鉛直方向にそのまま流下させて、下枠内部から屋外へと円滑に排水することができる。
【００１７】
本発明にかかる二重窓において、ブラインドを組み込むか否かは特に限定されないが、ブラインドを設ける場合は、内障子框材から屋外側に突設されたブラインド取付枠を介して内障子にブラインドを取り付け、このブラインドが外障子内框材の枠内に収容されて内障子とともに開閉するように構成することができる。これにより、外障子と内障子とを合わせた障子全体の見込み寸法をコンパクト化して、外観のすっきりとしたブラインド内蔵二重窓を得ることができる。内蔵しうるブラインドは、横方向のスラットが昇降する方式のものだけでなく、スラットが縦方向のものや、ロールブラインドも含まれる。
【発明の効果】
【００１８】
上述のように構成される本発明の二重窓の防露構造は、外障子の周部を構成する外障子外框材と外障子内框材との間に断熱樹脂からなる断熱ラインを設けて、ガラス面材は外障子外框材に嵌め込んだものであるから、外障子と内障子との間に閉じ込められた湿気は、外気に対して断熱されていない外障子外框材に接して、その屋内側表面に集中的に結露する。これにより、外障子に嵌め込まれたガラス面材への結露を生じにくくすることができ、窓面が曇って景観が損なわれたり、内障子を開いて窓面の結露水を拭き取る必要が生じたりといった不都合を解消することができる。
【００１９】
また、本発明の二重窓の防露構造は、特別な装置を利用せず、いわゆる断熱サッシにおける断熱ラインの位置を工夫することによって結露場所を集約するものであるから、構造的にも簡素であり、製造コストを低く抑えることができる。
【発明を実施するための最良の形態】
【００２０】
以下、本発明の実施の形態について図を参照して説明する。図１は本発明の実施形態に係る二重窓の縦断面図であり、図２は同じく横断面図である。
【００２１】
例示の二重窓１の主要な構成要素は、外壁の開口部２１に取り付けられた枠材３と、枠材３の枠内に建て込まれた外障子４と、外障子４の屋内側に取り付けられた内障子６である。
【００２２】
枠材３は、アルミ押出型材からなる屋外側枠部３１と屋内側枠部３２とが、中間に断熱樹脂３３を介して結合された部材で、屋外側枠部３１は外壁材２２との間に防水シーリング３４を介して固定され、屋内側枠部３２は屋内側の額縁２３や窓台２４に接して固定される。この枠材３における断熱ラインは断熱樹脂３３の位置となる。断熱樹脂３３の素材としては、例えばナイロン系樹脂やポリアミド系樹脂とガラス繊維との混合物など、公知従来の断熱素材を利用することができる。また、屋外側枠部３１及び屋内側枠部３２の固定方法も、本発明においては特に限定しない。
【００２３】
外障子４は、アルミ押出型材からなる外障子外框材４１に、複層ガラスからなるガラス面材４２を嵌め込んで形成されている。外障子外框材４１は、屋外側框部４３と屋内側框部４４とがブリッジ部材４５を介して非断熱的に一体成形されている。これら両框部４３、４４の間には、ガラス面材４２を保持するための開口溝４６が枠内方向に開口して形成されており、この開口溝４６に、グレージングガスケット４７やシリコンシーリング等を介してガラス面材４２の周縁部が挟持されている。例示形態にかかる外障子外框材４１は、枠材３の屋外側枠部３１に屋内側から当接し、外障子外框材４１の上部及び下部に取り付けられた図示しないフリクションステー等の建具金物を介して、屋内側に縦すべり出し方式で開閉するように建て込まれている。
【００２４】
外障子外框材４１の屋内側には、外障子内框材５が取り付けられている。外障子内框材５も、アルミ押出型材からなる部材である。外障子外框材４１における屋内側框部４４の周縁部には二条ずつの溝部が形成され、外障子内框材５の屋外側見付面にも上記溝部に対応する二条ずつの溝部が形成されて、これら溝部に嵌合された断熱樹脂５１を介し、外障子外框材４１と外障子内框材５とが断熱的に結合されている。外障子内框材５の屋内側周縁部５２は枠外方向に張り出して、屋内側から枠材３の屋内側枠部３２に当接するように形成されている。
【００２５】
内障子６は、アルミ押出型材からなる内障子框材６１に、単板ガラスからなるガラス面材６２を嵌め込んで形成されている。内障子框材６１は、屋外側框部６３と屋内側框部６４とがブリッジ部材６５を介して非断熱的に一体成形され、両框部６３、６４の間に形成された開口溝６６にガラス面材６２の周縁部が挟持されている。内障子框材６１は、外障子内框材５を取付枠として、その屋内側から建て込まれ、内障子框材６１の一方の縦框に取り付けられた図示しない蝶番等の建具金物を介して、屋内側に片開き方式で開閉するように保持される。
【００２６】
内障子框材６１の屋外側框部６３には、屋外側に突出するブラインド取付枠７１が形成されており、このブラインド取付枠７１の枠内に、例えば上下昇降式のブラインド７２が取り付けられている。ブラインド７２を操作するための、図示しない紐その他の操作具は、内障子框材６１の屋内側に引き出されている。
【００２７】
このように構成された二重窓１は、枠材３の屋外側枠部３１と屋内側枠部３２とを結合する断熱樹脂３３、及び、外障子外框材４１と外障子内框材５とを結合する断熱樹脂５１によってアルミ型材の断熱ラインが形成されるので、屋外側と屋内側との間の熱伝導について優れた断熱性を発揮する。加えて、外障子４と内障子６との間に設けられた空間（空気層）も熱の伝導を抑制し、断熱性の向上に寄与する。かかる断熱性を活かすために、この二重窓１は、通常は外障子４及び内障子６を閉じたまま、ブラインド７２の昇降により採光を調節するという態様で使用されるが、外気を取り込む場合は、外障子４及び内障子６を一体的に開放することもできる。これらの使用態様では、内障子６だけを開閉する必要はほとんど生じないので、内障子６を外障子内框材５に対して簡易なロック機構で閉じたままにすることも可能である。
【００２８】
内障子６だけを開閉するのは、例えば窓面やブラインド７２を清掃する際である。内障子６の開閉によって、外障子４と内障子６との間に閉じ込められた空気が入れ替わるが、この空気中の湿気がガラス面材４２に結露するのを防ぐため、本発明にかかる二重窓１では、外障子４の周部を構成する外障子外框材４１及び外障子内框材５のうちガラス面材４２が嵌め込まれる外障子外框材４１を非断熱構造として、外障子外框材４１の屋内側框部４４に結露を集中的に生じさせるようにしている。ガラスとアルミ型材とでは、アルミ型材のほうが熱伝導率が高いことを利用した本発明独自の構成である。
【００２９】
例示形態では、外障子外框材４１の上框、下框、及び左右の縦框全てについて、屋内側框部４４に鉛直平坦な結露誘導面４８を形成している。この結露誘導面４８の見付幅は２０ｍｍないし３０ｍｍ程度に設定される。この設定値は試験により確認したもので、一般的な大きさの窓開口部において、複層ガラスからなるガラス面材４２よりも先に屋内側框部４４に結露を生じさせうる見付幅の推奨値とすることができる。なお、窓開口部の大きさや二重窓１の構造によっては、結露誘導面４８の大きさを、外障子４のガラス面材４２の面積に対して少なくとも５％以上の見付面積という目安で設定することも可能である。
【００３０】
上記結露誘導面４８に生じた結露水は、外障子外框材４１の上框に沿う横方向から、縦框に沿う鉛直方向へと自然に流下して、下框近傍に集まる。この結露水を排出するための経路として、例示形態では、下框に嵌め込まれた断熱樹脂５１に排水孔８１を形成し、枠材３の下枠内部にも排水孔８２、８３、８４を形成して、屋外に連通する略階段状の排水経路を設けている。これにより、結露水を円滑に排出することができる。
【図面の簡単な説明】
【００３１】
【図１】本発明の実施形態に係る二重窓の縦断面図である。
【図２】本発明の実施形態に係る二重窓の横断面図である。
【図３】従来の構造に係る二重窓の縦断面である。
【符号の説明】
【００３２】
１    二重窓
２１  開口部
３    枠材
３１  屋外側枠部
３２  屋内側枠部
３３  断熱樹脂
４    外障子
４１  外障子外框材
４２  ガラス面材
４３  屋外側框部
４４  屋内側框部
４６  開口溝
４８  結露誘導面
５    外障子内框材
５１  断熱樹脂
６    内障子
６１  内障子框材
６２  ガラス面材
７１  ブラインド取付枠
７２  ブラインド
８１  排水孔
８２  排水孔
８３  排水孔
８４  排水孔
【図１】
2007092405.tif 000003
【図２】
2007092405.tif 000004
【図３】
2007092405.tif 000005